(57)【要約】【課題】  多数の洗濯物を立体的に吊支して干すことができると共に不使用時にはコンパクトに折り畳んでおくことができる物干具を提供する。【解決手段】  支軸１を中央にしてこの支軸１の両側に内枠２とこの内枠２を囲んだ外枠３との両側枠部を配設して支軸１に上下回動自在に取り付けてなり、これらの内外枠２、３の両側枠部を支軸１を中心として上方に回動させることにより折り畳み可能に構成している一方、使用時に下方に回動させて内枠２の両側枠部と外枠３の両側枠部とを異なる展開角度まで展開可能にしてこれらの内外枠２、３に装着している多数のピンチ４によって吊り下げた洗濯物を立体的に干しておくことができるように構成している。【選択図】    図１
2006239019.tif 000002
【特許請求の範囲】
【請求項１】
内枠とこの内枠よりも一回り大きい外枠とをそれぞれ一側枠部と他側枠部とに２分割して、内枠の上記一側枠部と他側枠部とを支軸の両側に配してそれぞれの両端部を支軸の両端部に上下回動自在に取り付けると共にこれらの一側枠部と他側枠部とを上方に回動させて折り畳んだ状態から支軸の両側方に向かって展開させた際に所定の展開角度で支軸に支持させるように構成している一方、外枠の上記一側枠部と他側枠部とを内枠の上記一側枠部と他側枠部とを囲繞するように配設してその両端部を上記支軸の両端部に上下回動自在に取り付けると共にこの外枠の一側枠部と他側枠部とを上方に回動させて折り畳んだ状態から支軸の両側方に展開させた際に、上記内枠の一側枠部と他側枠部との展開角度と異なる角度でもって展開した状態で支軸に支持させるようにし、さらに、これらの内外枠における上記一側枠部と他側枠部とに複数個のピンチを装着していると共に支軸をフック体によって吊り下げるように構成している特徴とする物干具。
【請求項２】
内枠の両側枠部と外枠の両側枠部とのいずれか一方を支軸から両側方に向かって水平状に展開可能とし、他方を支軸から両側方に向かって斜め上方または斜め下方に所定の傾斜角度で展開可能に構成していることを特徴とする請求項１に記載の物干具。
【請求項３】
外枠の両側枠部を支軸から両側方に向かって水平状に展開可能とし、内枠の両側枠部を支軸から両側方に向かって斜め上方に所定の傾斜角度でもって展開可能に構成していることを特徴とする請求項１又は請求項２に記載の物干具。
【発明の詳細な説明】
【技術分野】
【０００１】
本発明は衣類やハンカチ、タオルなどの洗濯物を吊支して乾燥させるための物干具の改良に関する。
【背景技術】
【０００２】
この種の物干具としては従来から種々の形状、構造のものが開発されており、例えば、物干具本体である円環状や矩形状のフレームに複数個のピンチを装着すると共に該フレームをチエーン等の索条物を介してフックにより吊り下げるように構成したものが広く知られているが、この物干具によれば不使用時に物干竿等から吊り下げた状態にしておくと、フレームが平面方向に大きく展開した形態となっているため、ベランダ等の物干場の使用空間が狭くなるといった問題点があった。
【０００３】
このため、近年、例えば、特許文献１に記載されているように、物干具本体である矩形状のフレームを平面コ字状の一側フレーム部と他側フレーム部とに２分割し、これらの両フレーム部を支軸の両側に配してこの支軸に上下方向に回動自在に取り付けることにより上方に向かって二つ折り状に折り畳み可能とし、且つ、下方に回動させた時に水平状に展開させた状態で保持するようにして両フレームに装着している複数個のピンチにより洗濯物を挟着して吊り下げるように構成した物干具が開発されている。
【特許文献１】特許第３１３８７０４号公報
【発明の開示】
【発明が解決しようとする課題】
【０００４】
しかしながら、上記物干具によれば、折り畳み可能に構成しているので、嵩張りが解消されて不使用時における収納、保管等が容易に行えると共にベランダ等の物干場を広く使用できるという利点を有するが、両側フレーム部を水平状に展開した使用状態においては、その形態は折り畳みができない従来の物干具と同様であって、水平状に展開した１つのフレームのみによる物干しの形態となり、そのため、同一大きさのフレームにおいてはピンチによって挟着、吊支し得る洗濯物の数も変わらないばかりでなく、物干竿等に対するこの物干具の取り付け高さが低いと、長短の洗濯物をピンチによって吊支した場合には、長い洗濯物の下端が物干場の床面等に接して汚損する虞れがあるといった問題点がある。
【０００５】
さらに、物干具本体を上記のように平面円形状、或いは矩形状等の１つのフレームによってのみ形成しておくと、このフレームに装着している複数個のピンチによって挟着、吊支された全ての洗濯物が外部に露呈した状態となるから、下着類等のように人目にできるだけ晒したくない洗濯物などは屋内側に向けた状態で吊支しておく等の気遣いを必要とするといった問題点もあった。
【０００６】
本発明はこのような問題点に鑑みてなされたもので、その目的とするところは、不使用時には折り畳んで容易に収納、保管等を行えるようにするのは勿論、一つのフレーム内の空間を利用して多数の洗濯物の吊支を可能にすると共に下着類などの洗濯物を外部から隠蔽した状態で体裁よく干すことができ、さらに、長さの短い洗濯物よりも長い洗濯物の吊り下げ位置を上方にして立体的な物干し形態とし、洗濯物を汚損させることなく安定した吊支形態で干しておくことができる物干具を提供するにある。
【課題を解決するための手段】
【０００７】
上記目的を達成するために本発明の物干具は、請求項１に記載したように、内枠とこの内枠よりも一回り大きい外枠とをそれぞれ一側枠部と他側枠部とに２分割して、内枠の上記一側枠部と他側枠部とを支軸の両側に配してそれぞれの両端部を支軸の両端部に上下回動自在に取り付けると共にこれらの一側枠部と他側枠部とを上方に回動させて折り畳んだ状態から支軸の両側方に向かって展開させた際に所定の展開角度で支軸に支持させるように構成している一方、外枠の上記一側枠部と他側枠部とを内枠の上記一側枠部と他側枠部とを囲繞するように配設してその両端部を上記支軸の両端部に上下回動自在に取り付けると共にこの外枠の一側枠部と他側枠部とを上方に回動させて折り畳んだ状態から支軸の両側方に展開させた際に、上記内枠の一側枠部と他側枠部との展開角度と異なる角度でもって展開した状態で支軸に支持させるようにし、さらに、これらの内外枠における上記一側枠部と他側枠部とに複数個のピンチを装着していると共に支軸をフック体によって吊り下げるように構成している。
【０００８】
このように構成した物干具において、請求項２に係る発明は、上記内枠の両側枠部と外枠の両側枠部とのいずれか一方を支軸から両側方に向かって水平状に展開可能とし、他方を支軸から両側方に向かって斜め上方または斜め下方に所定の傾斜角度で展開可能に構成していることを特徴とし、請求項３に係る発明は、上記外枠の両側枠部を支軸から両側方に向かって水平状に展開可能とし、内枠の両側枠部を支軸から両側方に向かって斜め上方に所定の傾斜角度でもって展開可能に構成していることを特徴とする。
【発明の効果】
【０００９】
請求項１に記載の物干具によれば、内枠とこの内枠よりも一回り大きい外枠とをそれぞれ一側枠部と他側枠部とに２分割して、これらの内外枠における一側枠部を支軸の一側方に、他側枠部を支持の他側方にそれぞれ配設して支軸に上下回動自在に取り付けているので、不使用時には、これらの内外枠の一側枠部と他側枠部とを支軸に対して上方に起立させて互いに左右に重ね合わせた状態にして折り畳んでおくことができるのは勿論、使用時には、これらの内外枠の一側枠部と他側枠部とを下方に回動させることにより、外枠の一側枠部と他側枠部との空間部内に内枠の一側枠部と他側枠部とをそれぞれ配設した展開状態にすることができる。
【００１０】
従って、これらの内外枠に装着している複数個のピンチによって多数の洗濯物を挟着、吊支した状態で干すことができるばかりでなく、内枠を外枠によって囲繞した展開状態になるので、内枠に装着しているピンチに下着類等のように人目にできるだけ晒したくない洗濯物などを挟着、吊支させる一方、外枠に装着しているピンチにタオル等の洗濯物を挟着、吊支させることにより、この外枠に吊支した洗濯物で内枠に吊支した洗濯物を外部から直視が困難な状態に隠蔽した状態にして体裁よく干しておくことができる。
【００１１】
さらに、内外枠のいずれか一方の枠を他方の枠に対して上方に傾斜した状態となるように展開し、この上向き傾斜枠に装着しているピンチに長さの長い洗濯物の上端部を挟着、吊支させることによって、該洗濯物の下端部が物干場の床面等に接しない安定した状態にして干しておくすことができ、従って、洗濯物が汚損することなく乾燥させることができる。
【００１２】
この場合、請求項２に記載したように、内枠の両側枠部と外枠の両側枠部とのいずれか一方を支軸から両側方に向かって水平状に展開可能とし、他方を支軸から両側方に向かって斜め上方または斜め下方に所定の傾斜角度で展開可能となるように構成しておいてもよく、また、請求項３に記載したように、外枠の両側枠部を支軸から両側方に向かって水平状に展開可能とし、内枠の両側枠部を支軸から両側方に向かって斜め上方に所定の傾斜角度でもって展開可能に構成しておいてもよい。
【発明を実施するための最良の形態】
【００１３】
次に、本発明の具体的な実施の形態を図面について説明すると、図１において、物干具Ａは水平状に配設した支軸１を中央にしてこの支軸１の両側に内外枠２、３の一側枠部2a、3aと他側枠部2b、3bとをそれぞれ配設し、内枠２の両側枠部2a、2bの両端部と、外枠３の両側枠部3a、3bの両端部とをそれぞれ突き合わせ状態にして支軸１の両端部に上下方向に回動自在に連結してあり、さらに、これらの内外枠２、３に周方向に小間隔毎に複数のピンチ４を吊支状態に装着していると共に支軸１の中央部上面に吊り下げ用フック５を装着してなるものであって、内枠２の両側枠部2a、2bと外枠３の両側枠部3a、3bとはそれぞれ支軸１の上方に回動させて、図２に示すように、左右に重ね合わせ状態に折り畳み可能に構成していると共にこの状態から下方に回動させて支軸１の両側方に所定の展開角度でもって展開、保持可能に構成している。
【００１４】
上記内外枠２、３の形状及び支軸１に対する取付構造をさらに詳細に説明すると、内枠２は平面楕円形状又は長円形状に形成されていて、この内枠２を長さ方向の中央部から二分割することにより、平面Ｕ字状に湾曲した上記一側枠部2aと他側枠部2bとに形成してあり、これらの一側枠部2aと他側枠部2bを支軸１の両側方にそれぞれ配設してその両端部を図１、図３及び図４に示すように、支軸１の両端部に回動自在に外嵌しているリング形状の第１、第２回動部材6A、6A、6B、6Bに突設した筒部6a、6bに挿入、固着している。詳しくは、支軸１の一端側に配設した第１回動部材6Aと他端側に配設した第２回動部材6Bとに突設している筒部6a、6bを一側方向に突設させた状態にしてこれらの筒部6a、6bに一側枠部2aの両端部を挿入、支持させている一方、支軸１の一端側に配設した第２回動部材6Bと他端側に配設した第１回動部材6Aとに突設している筒部6a、6bを他側方向に突設させた状態にしてこれらの筒部6a、6bに他側枠部2bの両端部を挿入、支持させている。
【００１５】
一方、外枠３は上記内枠２よりも一回り大きい平面長方形状枠に形成されていて、この外枠３を長さ方向の中央部から二分割することにより平面コ字状の一側枠部3aと他側枠部3bとに形成してあり、これらの一側枠部3aと他側枠部3bを支軸１の両側方に上記内枠２の一側枠部2aと他側枠部2bとを囲むようにそれぞれ配設してその両端部を、支軸１の両端開口部に挿着したキャップ体７、７の外周面に回動自在に嵌合しているリング形状の第３、第４回動部材6C、6C、6D、6Dに突設した筒部6c、6dにそれぞれ挿入、固着している。詳しくは、キャップ体７の先端側に配設した第３回動部材6Cと頭部側に配設した第４回動部材6Dとに突設している筒部6c、6dを一側方向に突設させた状態にしてこれらの筒部6c、6dに一側枠部3aの両端部を挿入、支持させている一方、支軸１の一端側に配設した第４回動部材6Dと他端側に配設した第１回動部材6Cとに突設している筒部6c、6dを他側方向に突設させた状態にしてこれらの筒部6c、6dに他側枠部3bの両端部を挿入、支持させている。
【００１６】
なお、この外枠３の両側枠部3a、3bの両端部を支持している第３、第４回動部材6C、6Dは支軸１と同一外径を有する上記キャップ体７、７の外周面に回動自在に嵌合、支持させているが、上記内枠２の両側枠部2a、2bを支持している第１、第２回動部材6A、6Bの外側における支軸１の両側端部に回動自在に外嵌させておいてもよい。
【００１７】
このように、支軸１を中央にしてその両側に、内外枠２、３の一側枠部2a、3aと他側枠部2b、3bとをそれぞれ配設した状態においては、内枠２の一側枠部2aの外周面と外枠３の一側枠部3aの内周面との間、及び、内枠２の他側枠部2bの外周面と外枠３の他側枠部3bの内周面との間にそれぞれ適宜幅の間隔を有した状態で外枠３により内枠２が囲繞された状態で配設されてあり、且つ、外枠３内には補強用桟部材等を設けることなく該外枠３内を全面的に解放させた空間部に形成して、この外枠３の両側枠部3a、3b内を、内枠２の両側枠部2a、2bがそれぞれ上下方向に相対的に通過可能に構成している。なお、内枠２の両側枠部2a、2bにおいても全面的に解放した空間部に形成しているが、一本程度の補強用或いはピンチ装着用桟部材を設けておいてもよく、要するに、該内枠２の両側枠部2a、2b内に下方から手を挿入して上記吊り下げ用フック５を上方の物干し竿等に引っ掛ける操作が可能な空間部を設けておけばよい。
【００１８】
さらに、内外枠２、３の両側枠部2a、2b、3a、3bの両端部を支持している上記第１〜第４回動部材6A〜6Dは、支軸１に対して内枠２の両側枠部2a、2bと外枠３の両側枠部3a、3bとを起立する方向に回動させてそれぞれ左右に重ね合わせた折り畳み状態から、下方に向かって回動させて支軸１の両側方に展開させ、所定の展開角度で停止させてそれ以上、下方に回動しないように構成している。この際、内枠２の両側枠部2a、2bの展開角度と外枠３の両側枠部3a、3bの展開角度とが異なるようにしており、図１に示す実施の形態においては、内枠２の一側枠部2aと他側枠部2bとは、支軸１から両側方に向かって斜め上方に傾斜した展開角度、即ち、折り畳んだ垂直状態からそれぞれ90度以下の展開角度でもって下方に回動した位置で停止させ、外枠３の一側枠部3aと他側枠部3bとは、折り畳んだ垂直状態から90度、即ち、互いに水平状態となるまでそれぞれ回動してその状態で停止させるように構成している。
【００１９】
このように、内外枠２、３の両側枠部2a、2b、3a、3bを支軸１に対して上記折り畳み状態から所定の展開角度までの角度範囲内で上記第１〜第４回動部材6A〜6Dを支軸１回りに往復回動させる機構の一例を図４に基づいて説明する。まず、支軸１の両端部を、上記第１、第２回動部材6A、6Bを並列状態で回動自在に外嵌させた外径を有する短筒状端部1a、1aに形成してしてあり、さらに、これらの短筒状端部1a、1aの内端に最内端側に配設される第１回動部材6Aを受止するフランジ部1bを形成していると共に該フランジ部1bの下周部に外方に向かって一定幅を有する係止突片1cを突設し、この係止突片1cの両側端面を係止面1c1 、1c2 に形成している。
【００２０】
第１回動部材6Aは、その下周部に上記係止面1c1 、1c2 のいずれか一方に係合する係止面6A1'を有する係止突部6A1 を突設していると共に、この第１回動部材6Aに一体に設けられて内枠２の両側枠部の一方を支持する上記筒部6aは、その基端部を第１回動部材6Aの下周部における側方部に一体に連結していると共に第１回動部材6Aの厚みの２倍の外径を有していてその半部分をこの第１回動部材6Aから支軸１の端部側に向かって突出させた状態で全体を支軸１に対して直交する方向に突設している。
【００２１】
この第１回動部材6Aに並設状態で隣接している第２回動部材6Bにおいては、この第２回動部材6Bに一体に設けられた上記筒部6bは、上記第１回動部材6Aの筒部6aと同様にその基端部をこの第２回動部材6Bの下周部における側方部に一体に連結していると共に第２回動部材6Bの厚みの２倍の外径を有していてその半部分を第２回動部材6Bから支軸１の中央部側に向かって突出させた状態で全体を支軸１に対して直交する方向に且つ上記第１回動部材6Aの筒部6aとは反対方向に突設してあり、さらに、この第２回動部材6Bから突出した筒部6bの半部分の下端には上記支軸１の端部に設けている係止突片1c1 、1c2 のいずれか他方に係合する係止面6B1'を有する係止突部6B1 を突設している。
【００２２】
これらの第１、第２回動部材6A、6Bは、支軸１の両端部に形成している短筒状端部1a、1a上に第１回動部材6A、6Aを端筒状端部1aのフランジ部1b側に向けてこのフランジ部1bに接した状態で回動自在に嵌合させているが、その際、両回動部材6A、6Bの筒部6a、6bを逆方向に向けた状態にしてこれらの回動部材6A、6Bの対向面を接合させ、逆方向の向けた筒部6a、6bが同一垂直面上で支軸１回りに上下方向に回動可能に組み合わせていると共に、第１回動部材6Aの下周部に突設している係止突部6A1 の係止面6A1'と第２回動部材6Bの筒部6bの下端に突設している上記係止突部6B1 の係止面6B1'とを支軸１の係止突片1cの周方向の両側端面1c1 、1c2 にそれぞれ当接、係止させることにより、筒部6a、6bを支軸１を通る水平面から斜め上方に所定の小角度だけ上向きに傾斜した状態となるように構成している。
【００２３】
従って、支軸１の一端部側の第１回動部材6Aと他端側の第２回動部材6Bとの筒部6a、6bに両端部を固着、支持されている内枠２の一側枠部2aと、支軸１の他端部側の第１回動部材6Aと一端側の第２回動部材6Bとの筒部6a、6bに両端部を固着、支持されている内枠２の他側枠部2bとは、支軸１を中央にしてその両側に上記角度でもって展開した状態となり、この展開状態からこれらの両側枠部2a、2bとを第１、第２回動部材6A、6Bを支軸１回りに回動させながら上方に起立させることにより、左右に重ね合わせ状態で折り畳みが可能となる。
【００２４】
同様に、支軸１の両端開口部に挿着したキャップ体７、７の外周面に回動自在に嵌合している上記第３、第４回動部材6C、6Dにおいても、第３回動部材6Cを上記第２回動部材6Bに摺動可能に接合させ、且つ、これらの回動部材6C、6Dの筒部6c、6dを逆方向に向けた状態にして対向面を接合させていると共に逆方向の向けた筒部6c、6dが同一垂直面上で支軸回りに上下方向に回動可能に組み合わせている。なお、これらの第３、第４回動部材6C、6Dにおける筒部6c、6dも、上記第１、第２回動部材6A、6Bの筒部6a、6bと同様に、それぞれの回動部材の厚みの２倍の外径を有していてその半部分をそれぞれの回動部材6C、6Dから支軸１の端部側と中央部側に向かってそれぞれ突出させている。
【００２５】
そして、第２回動部材6Bの筒部6bに対してその筒部6cを反対方向に向けている第３回動部材6Cの下周部に係止突部6C1 を一体に設けて、この係止突部6C1 の係止面6C1'を筒部6cの長さ方向に対して支軸１の中心を通る直角方向に向けている一方、第１回動部材6Aの筒部6aに対してその筒部6dを反対方向に向けている第４回動部材6Dにおいて、この第４回動部材6Dから突出した筒部6dの半部分の下端には係止突部6D1 を設けてあり、この係止突部6D1 の係止面6D1'を上記第３回動部材6Cと同様に、筒部6dの長さ方向に対して支軸１の中心を通る直角方向に向けてあり、これらの第３、第４回動部材6C、6Dの受止突部6C1 、6D1 の対向する上記係止面6C1'、6D1'を互いに当接させることにより、第３、第４回動部材6C、6Dの筒部6c、6dを互いに反対方向に向かって水平に突出させるように構成している。
【００２６】
従って、支軸１の一端部側の第３回動部材6Cと他端側の第４回動部材6Dとの筒部6c、6dに両端部を固着、支持されている外枠３の一側枠部3aと、支軸１の他端部側の第３回動部材6Cと一端側の第４回動部材6Dとの筒部6c、6dに両端部を固着、支持されている外枠３の他側枠部3bとは、支軸１を中央にしてその両側方に水平状に展開した状態となり、この展開状態からこれらの両側枠部3a、3bとを第３、第４回動部材6C、6Dを支軸１回りに回動させながら上方に起立させることにより、左右に重ね合わせ状態で折り畳みが可能となる。さらに、外枠３の両側枠部3a、3bを水平状に展開させた状態においては、第３、第４回動部材6C、6Dが支軸１又は第１、第２回動部材6A、6B等に係止する係合手段（図示せず）を設け支軸回りに回動しないように構成している。
【００２７】
なお、上記内外枠２、３の両側枠部を所定の展開角度となるように支軸１に係止、支持させる手段としては、上記構成に限定されることなく、例えば、支軸１の外周面における上記第１〜第４回動部材6A〜61D を回動自在に外嵌させた部分に、上周部から下周部側に向かって所定の周長を有する円弧状の係合溝を設ける一方、各回動部材の内周面にそれぞれ対応する上記係合溝内に対して周方向に往復摺動自在に係合する係合突起を突設した構造としておいてもよく、或いは、回動部材6A〜6Dの内周面側に所定の周長を有する係合溝を設ける一方、支軸１の外周面にそれぞれの係合溝に摺動自在に係合する係合突起を設けて内外枠２、３の両側枠部を起立状態から支軸１の両環方に向かって所定の展開角度となるように回動可能に構成しておいてもよく、さらには、その他の適宜な手段を採用してもよい。
【００２８】
支軸１の長さ方向の中央部に装着している上記フック５は、図５に示すように、下部を第１グリップ部52に形成しているフック本体51の上部一側に、一側方に向かって開口した開口部53を設けていると共に上端に他側方に向かって第２グリップ部54を一体に突設してあり、さらに、フック本体51の上下長さ方向の中央部に第１グリップ部52の一側方に対向するように斜め下方に傾斜した第１レバー55を回動自在に枢着していると共にこの第１レバー55における枢着された基端部にフック本体51から第２グリップ部54の下方に並行するように他側方に向かって突出した第２レバー56の基端部を一体に連設し、この連設部に上方に向かって上記開口部53の開口端に対向する開閉用杆部57を一体に設けて該開閉用杆部57をスプリング58によりフック本体51の開口部53を閉止する方向に付勢してなる構造としている。また、このフック本体51の下端部には下方に向かって軸体部59を突設してあり、この軸体部59を支軸１の中央部上面に設けている取付孔1dに回動自在に装着している。
【００２９】
このように構成した物干具Ａを使用して洗濯物を干す場合、支軸１に対して内外枠２、３の両側枠部2a、2b、3a、3bを折り畳み状態から下方に回動させて上述したように内枠２の両側枠部2a、2bを支軸１から両側方に向かって斜め上方に傾斜した展開状態とし、外枠３の両側枠部3a、3bを支軸１から両側方に向かって水平状に展開させた状態にする。このように展開させてこれらの内外枠２、３に装着している多数のピンチ４により洗濯物を吊支させる。この際、内枠２に装着しているピンチ４に下着類等のように人目にできるだけ晒したくない洗濯物を吊支させる一方、外枠３に装着しているピンチ４にハンカチ等の洗濯物を吊支させることによって外枠３から吊り下げている洗濯物で内枠２から吊り下げている洗濯物を隠蔽することができ、従って、洗濯物を体裁よく干しておくことができる。
【００３０】
さらに、支軸１に対して両側方に向かって上向きに傾斜して内枠２に装着したピンチ４は水平状に展開している外枠３に装着したピンチ４によりも上方に位置するので、長さの短い洗濯物を外枠３側のピンチ４に、長い洗濯物を内枠２側のピンチ４にそれぞれ吊支させることによって、長い洗濯物の下端部が物干場の床面等に接しない安定した状態にして干しておくすことができる。
【００３１】
また、洗濯物を干す際に、フック５を物干竿等の棒状物10に引っ掛ける場合において、棒状物10が図７に示すように胸元よりも高い位置に設けられている場合には、フック本体51の下端部によって形成している第１グリップ部52を掴持する。この際、フック５は支軸１の中央部に直接取り付けられているので、外枠３の外側から第１グリップ部52を掴持すると、外枠３が腕等に当接して棒状物10に対する取り付け作業が困難となるので、この場合いには、水平状に展開した外枠３及びその上方の内枠２内の空間部を通じて腕を挿し込んで、フック本体51の下端部の第１グリップ部52を掴持する。
【００３２】
そうすると、手首を無理な捩ることなく、さらには、内外枠２、３に腕が当接することなく、安定した状態で上方に持ち上げることができる。そして、指先で第１レバー55をスプリング58の力に抗して第１グリップ部52側に引き寄せることにより杆部57を開口部53から離間させ、該開口部53を解放させて棒状物10をこの開口部53内に挿通状態となるように挿入し、しかるのち、第１レバー55の握力を解除して杆部57をスプリング58の力によって棒状物10の側面に圧着させ、開口部53と杆部57とで棒状物10を挟着した状態にしてフック５を棒状物10に吊支させる。
【００３３】
一方、ベランダ等に洗濯物を干す際に、洗濯物が外部から見えにくくするために、ベランダの手すり等よりも低い位置に物干竿等の棒状物10を設けておく場合があるが、このような場合には、図８に示すように、フック本体51の上端に他側方に向かって水平状に突設している第２グリップ部54を掴持する。そうすると、フック本体51が水平方向に突設している第２グリップ部54の一側端から下方に向かって垂下した状態となるので、手首に無理な姿勢を強いることなく且つ物干具全体を水平状に安定した形態を維持しながらフック５を棒状物10の高さ位置まで下ろしていくことができる。
【００３４】
そして、フック本体51の開口部53を棒状物10の側方に対向させた状態で、第２レバー56をスプリング58の力に抗して上方に引き寄せると、その操作と連動してこの第２レバー56と一体に設けている上記杆部57が開口部53から離間して開口部53を解放させるので、上記同様にしてこの解放部を通じて棒状物10を開口部53内に挿入し、しかるのち、第２レバー56に対する握力を解除して杆部57を開口部53から突出している棒状物10の側面にスプリング58の力によって圧着させ、開口部53とこの杆部57とで棒状物10を挟着した状態にしてフック本体51を棒状物に吊支させる。なお、以上の実施の形態においては、内枠２の両側枠部2a、2bを平面Ｕ状に湾曲した形状に形成しているが、図９に示すように、平面台形状に形成しておいてもよく、或いは、これらの内外枠２、３を上記以外の適宜な形状に形成しておいてもよい。
【００３５】
図10は本発明物干具のさらに別な実施の形態を示すもので、上記実施の形態においては外枠３の両側枠部3a、3bを支軸１に対して水平状に展開させ、内枠２の両側枠部2a、2bを支軸１から両側方に向かって斜め上方に所定の傾斜角度でもって展開可能に構成しているが、この実施の形態においては、内枠２の両側枠部2a、2bを支軸１に対して水平状に展開させている一方、外枠３の両側枠部3a、3bを支軸１から両側方に向かって斜め上方に所定の傾斜角度でもって展開可能に構成している。その他の構造については上記実施の形態と同様であるので、同一部分には同一符号を付してその詳細な説明は省略する。また、内外枠２、３のいずれか一方を水平状に展開させるようにしているが、本発明はこれに限定されることなく、要するに内枠２の両側枠部2a、2bの展開角度と、外枠３の両側枠部3a、3bの展開角度とを異なるように構成しておけばよい。
【図面の簡単な説明】
【００３６】
【図１】本発明物干具の斜視図。
【図２】折り畳んだ状態の斜視図。
【図３】正面図。
【図４】支軸の端部に対する内外枠の取付態様を説明するための分解斜視図。
【図５】フックの断面図。
【図６】その開口させた状態を示す断面図。
【図７】高所に配設している棒状物に吊り下げる状態を示す斜視図。
【図８】低所に配設している棒状物に吊り下げる状態を示す斜視図。
【図９】別な形状を有する内枠を使用した物干具の斜視図。
【図１０】本発明の別な実施の形態を示す斜視図。
【符号の説明】
【００３７】
１  支軸
２  内枠
2a、2b  両側枠部
３  外枠
3a、3b  両側枠部
４  ピンチ
５  フック
【図１】
2006239019.tif 000003
【図２】
2006239019.tif 000004
【図３】
2006239019.tif 000005
【図４】
2006239019.tif 000006
【図５】
2006239019.tif 000007
【図６】
2006239019.tif 000008
【図７】
2006239019.tif 000009
【図８】
2006239019.tif 000010
【図９】
2006239019.tif 000011
【図１０】
2006239019.tif 000012